(57)【要約】【課題】単一の入力装置を用いて複数のディスプレイ装置を統合して制御することができ、単一の入力装置を用いることから、コスト削減及び狭小な運転席におけるスペースの確保が得られる複数のディスプレイ統合制御システム及びディスプレイ統合入力装置を提供すること。【解決手段】複数のディスプレイ装置と、前記複数のディスプレイ装置のうち、ユーザのキー操作により入力された特定のキー信号に対応する装置識別コードで何れか一つの動作させたいディスプレイ装置を選択し、ユーザにより入力されたキー信号に対応する共用制御指令で前記選択されたディスプレイ装置の動作（または、機能）を制御するディスプレイ統合入力装置と、を備えることを特徴とする複数のディスプレイ統合制御システム。【選択図】図１
2014501474.tif 000002
【特許請求の範囲】
【請求項１】
複数のディスプレイ装置と、
前記複数のディスプレイ装置のうち、ユーザのキー操作により入力された特定のキー信号に対応する装置識別コードで何れか一つの動作させたいディスプレイ装置を選択し、ユーザにより入力されたキー信号に対応する共用制御指令で前記選択されたディスプレイ装置の動作または機能を制御するディスプレイ統合入力装置と、
を備えることを特徴とする複数のディスプレイ統合制御システム。
【請求項２】
前記ディスプレイ統合入力装置は、
キー入力部と、
前記複数のディスプレイ装置ごとに特定のキー信号に対応する所定の装置識別コードをそれぞれマッピングして格納し、相異なる特定のキー信号ごとに前記共用制御指令をマッピングして格納するメモリと、
前記キー入力部から特定のキー信号が入力されたときに、その入力された特定のキー信号に対応する装置識別コードを前記メモリから読み出し、前記何れか一つの動作させたいディスプレイ装置を選択・指定する装置識別制御部と、
前記キー入力部を通じて入力された特定のキー信号に対応する前記共用制御指令を前記メモリから読み出し、前記選択・指定されたディスプレイ装置の特定の動作または機能を制御する装置動作制御部と、
前記読み出された装置識別コードと前記共用制御指令とを有線または無線で接続された前記複数のディスプレイ装置に送信する通信モジュールと、
を備えることを特徴とする請求項１に記載の複数のディスプレイ統合制御システム。
【請求項３】
前記複数のディスプレイ装置のそれぞれは、
予め設定された通信上のメッセージまたは前記特定の機能が作動したときに、当該機能を有するディスプレイ装置がディスプレイ統合入力装置よりも優先して制御権を取得するための手段をさらに備えることを特徴とする請求項１に記載の複数のディスプレイ統合制御システム。
【請求項４】
キー入力部と、
複数のディスプレイ装置ごとに特定のキー信号に対応する所定の装置識別コードをそれぞれマッピングして格納し、相異なる特定のキー信号ごとに共用制御指令をマッピングして格納するメモリと、
前記キー入力部から特定のキー信号が入力されたときに、その入力された特定のキー信号に対応する装置識別コードを前記メモリから読み出し、前記何れか一つの動作させたいディスプレイ装置を選択・指定する装置識別制御部と、
前記キー入力部を通じて入力された特定のキー信号に対応する前記共用制御指令を前記メモリから読み出し、前記選択・指定されたディスプレイ装置の特定の動作（または、機能）を制御する装置動作制御部と、
前記読み出された装置識別コードと前記共用制御指令とを有線または無線で接続された前記複数のディスプレイ装置に送信する通信モジュールと、
を備えることを特徴とするディスプレイ統合入力装置。
【発明の詳細な説明】
【技術分野】
【０００１】
本発明は、複数のディスプレイ統合制御システム及びディスプレイ統合入力装置に係り、さらに詳しくは、ユーザによるキー操作に応じて入力された特定のキー信号に対応する装置識別コードで、何れか一つの動作させたいディスプレイ装置を選択・指定し、ユーザにより入力されたキー信号に対応する共用制御指令で前記選択・指定されたディスプレイ装置の特定の動作（または、機能）を制御することによって、一つの入力装置を用いて複数のディスプレイ装置を統合して制御することができる複数のディスプレイ統合制御システム及びディスプレイ統合入力装置に関する。
【背景技術】
【０００２】
近年、一台の建設機械に装着されるディスプレイ装置の数が増えており、これに伴い、それぞれのディスプレイ画面を制御するための入力装置も増加している。この種の入力装置、すなわち、多数のディスプレイ装置を制御するために取り付けられる多数の入力装置は、狭小な運転席をさらに狭くして運転者の作業を妨げるという問題点を抱えている。
【発明の概要】
【発明が解決しようとする課題】
【０００３】
本発明は、上述した問題点を解消するために案出されたものであり、その目的は、単一の入力装置を用いて複数（Ｎ）個のディスプレイ装置を制御することによって、狭小な運転席のスペース確保が可能となるようにした、複数のディスプレイ統合制御システム及びディスプレイ統合入力装置を提供することにある。
【課題を解決するための手段】
【０００４】
上記の目的を達成するために、本発明の一実施形態による複数のディスプレイ統合制御システムは、複数のディスプレイ装置と、前記複数のディスプレイ装置のうち、ユーザのキー操作により入力された特定のキー信号に対応する装置識別コードで、動作させたい何れかの一つのディスプレイ装置を選択し、ユーザにより入力されたキー信号に対応する共用制御指令で前記選択されたディスプレイ装置の動作（または、機能）を制御するディスプレイ統合入力装置と、を備えることを特徴とする。
【０００５】
好ましくは、前記ディスプレイ統合入力装置は、キー入力部と、複数のディスプレイ装置ごとに特定のキー信号に対応する所定の装置識別コードをそれぞれマッピングして格納し、相異なる特定のキー信号ごとに共用制御指令をマッピングして格納するメモリと、前記キー入力部から特定のキー信号が入力されたときに、その入力された特定のキー信号に対応する装置識別コードを前記メモリから読み出し、動作させたい何れか一つのディスプレイ装置を選択・指定する装置識別制御部と、前記キー入力部を介して入力された特定のキー信号に対応する共用制御指令を前記メモリから読み出して前記選択・指定されたディスプレイ装置の特定の動作（または、機能）を制御する装置動作制御部と、前記読み出された装置識別コードと共用制御指令を有線または無線で接続された複数のディスプレイ装置に送信する通信モジュールと、を備える。
【０００６】
また、前記複数のディスプレイ装置それぞれは、予め設定された通信上のメッセージまたは特定の機能が作動したとき、当該機能をするディスプレイ装置がディスプレイ統合入力装置よりも優先して制御権を取得するための手段をさらに備える。
【０００７】
上記の目的を達成するために、本発明の他の実施形態によるディスプレイ統合入力装置は、キー入力部と、複数のディスプレイ装置ごとに特定のキー信号に対応する所定の装置識別コードをそれぞれマッピングして格納し、相異なる特定のキー信号ごとに共用制御指令をマッピングして格納するメモリと、前記キー入力部から特定のキー信号が入力されたとき、その入力された特定のキー信号に対応する装置識別コードを前記メモリから読み出して動作させたい何れか一つのディスプレイ装置を選択・指定する装置識別制御部と、前記キー入力部を通じて入力された特定のキー信号に対応する共用制御指令を前記メモリから読み出して前記選択・指定されたディスプレイ装置の特定の動作（または、機能）を制御する装置動作制御部と、前記読み出された装置識別コードと共用制御指令を有線または無線で接続された複数のディスプレイ装置に送信する通信モジュールと、を備える。
【発明の効果】
【０００８】
本発明は、ユーザのキー操作に応じて入力された特定のキー信号に対応する装置識別コードで、動作させたい何れか一つのディスプレイ装置を選択・指定し、ユーザにより入力されたキー信号に対応する共用制御指令で前記選択・指定されたディスプレイ装置の特定の動作（または、機能）を制御することによって、単一の入力装置を用いて複数のディスプレイ装置を別々に且つ統合的に制御することができると共に、単一の入力装置を使用することから、コストの低減及び狭小な運転席におけるスペース確保を可能とする。
【図面の簡単な説明】
【０００９】
【図１】本発明に係る複数のディスプレイ統合制御システムを示すシステム図である。
【図２】本発明に係るディスプレイ統合入力装置を示すブロック構成図である。
【図３】本発明に係るディスプレイ統合入力装置の実際の例示図である。
【図４Ａ】本発明に係る複数のディスプレイ統合制御システムの他の例示図である。
【図４Ｂ】本発明に係る複数のディスプレイ統合制御システムの他の例示図である。
【発明を実施するための形態】
【００１０】
図１は、本発明に係る複数のディスプレイ統合制御システムを示すシステム図である。
【００１１】
図１に示すように、本発明に係る複数のディスプレイ統合制御システムは、複数のディスプレイ装置２０１−１〜２０１−４と、前記複数のディスプレイ装置２０１−１〜２０１−４のうち、ユーザのキー操作により入力された特定のキー信号に対応する装置識別コードで何れか一つの動作させたいディスプレイ装置を選択し、ユーザにより入力されたキー信号に対応する共用制御指令で前記選択されたディスプレイ装置の動作（または、機能）を制御するディスプレイ統合入力装置１００と、を備える。
【００１２】
ここで、前記ディスプレイ統合入力装置１００は、例えば、一つのキーパッドから構成され、複数のディスプレイ装置２０１−１〜２０１−４のそれぞれと有線または無線で接続された複数のディスプレイ装置２０１−１〜２０１−４を別々に且つ統合的に制御するものであって、ユーザのキー操作に応じて入力された特定のキー信号に対応する装置識別コード（例えば、バイナリコード）で何れか一つの動作させたいディスプレイ装置を選択し、ユーザにより入力されたキー信号に対応する共用制御指令で前記選択されたディスプレイ装置の動作（または、機能）を制御する。具体的には、複数のディスプレイ装置のうち、動作させたいディスプレイ装置を識別（または、指定）するために、複数のディスプレイ装置ごとに特定のキー信号に対応する所定の装置識別コードをそれぞれマッピングして格納した後、ユーザのキー操作に応じて特定のキー信号が入力されたときに、その入力された特定のキー信号に対応する所定の装置識別コードで、何れか一つの動作させたいディスプレイ装置を選択・指定する。また、ディスプレイ装置の動作（または、機能）を制御するために、相異なる特定のキー信号ごとに共用制御指令（例えば、電源のオン／オフ、または映像ディスプレイ命令語など）をマッピングしてメモリに格納しておき、前記したように何れか一つの動作させたいディスプレイ装置が選択・指定されれば、前記共用制御指令に応じて、そのディスプレイ装置の特定の動作（または、機能）を制御する。すなわち、ユーザにより入力されたキー信号に対応する特定の共用制御指令で前記選択・指定されたディスプレイ装置の動作（または、機能）を制御する。
【００１３】
複数のディスプレイ装置２０１−１〜２０１−４は、有線通信または無線通信により送信された値、すなわち、装置識別コードをモニタリングしていて、自分の装置識別コードと同じ装置識別コードが認識されれば、当該ディスプレイ装置のみを動作させ、残りのディスプレイ装置はデフォルト処理する。そして、認識後の具体的な動作は、前記ディスプレイ統合制御部から送信される共用制御指令に応じて行われる。さらに、前記複数のディスプレイ装置２０１−１〜２０１−４のそれぞれは、予め設定された通信上のメッセージまたは特定の機能が作動されたとき、当該機能をするディスプレイ装置がディスプレイ統合入力装置よりも優先して制御権を取得するための手段をさらに備えていてもよい。
【００１４】
以下、図２を参照としながら、図１の本発明に係る複数のディスプレイ統合制御システムに用いられるディスプレイ統合入力装置の構成について詳述する。
【００１５】
図２は、本発明に係るディスプレイ統合入力装置１００を示すブロック構成図である。
【００１６】
図２に示すように、本発明に係るディスプレイ統合入力装置１００は、キー入力部１０１と、メモリ１０２と、装置識別制御部１０３と、装置動作制御部１０４と、通信モジュール１０５と、を備える。
【００１７】
すなわち、本発明に係るディスプレイ統合入力装置１００は、キー入力部１０１と、複数のディスプレイ装置ごとに特定のキー信号に対応する所定の装置識別コードをそれぞれマッピングして格納し、相異なる特定のキー信号ごとに共用制御指令をマッピングして格納するメモリ１０２と、ユーザのキー操作に応じて前記キー入力部１０１から特定のキー信号が入力されたときに、その入力された特定のキー信号に対応する装置識別コードを前記メモリ１０２から読み出し、何れか一つの動作させたいディスプレイ装置を選択・指定する装置識別制御部１０３と、前記キー入力部１０１を介して入力された特定のキー信号に対応する共用制御指令を前記メモリ１０２から読み出して前記選択・指定されたディスプレイ装置の特定の動作（または、機能）を制御する装置動作制御部１０４と、前記読み出された装置識別コードと共用制御指令を有線または無線で接続された複数のディスプレイ装置に送信する通信モジュール１０５と、を備える。
【００１８】
以下、このような構成を有する図２のディスプレイ統合入力装置を用いた本発明に係る複数のディスプレイ統合制御システムの動作について説明する。
【００１９】
先ず、複数のディスプレイ装置のうち、動作させたいディスプレイ装置を識別（または、指定）するために、複数のディスプレイ装置ごとに特定のキー信号に対応する所定の装置識別コード（例えば、０００１、００１０、００１１、．．．）をそれぞれマッピングしてその結果値をメモリ１０２に格納する。
【００２０】
また、ディスプレイ装置の動作（または、機能）を制御するために、相異なる特定のキー信号ごとに共用制御指令（例えば、電源のオン／オフ、または映像ディスプレイ命令語など）をマッピングしてその結果値をメモリ１０２に格納する。
【００２１】
次いで、ユーザのキー操作に応じてキー入力部１０１を通じて特定のキー信号が入力されると、装置識別制御部１０３は、その入力された特定のキー信号に対応する所定の装置識別コードをメモリ１０２から読み出して、何れか一つの動作させたいディスプレイ装置を選択・指定する。
【００２２】
次いで、その選択・指定されたディスプレイ装置の特定の動作（または、機能）を制御するために、前記装置動作制御部１０４は、前記キー入力部１０１を通じて入力された特定のキー信号に対応する共用制御指令を前記メモリ１０２から読み出し、前記メモリ１０２から読み出された装置識別コードと共に通信モジュール１０５に送信する。
【００２３】
そして、通信モジュール１０５をイネーブルして、前記読み出された装置識別コードと共用制御指令とを有線または無線で接続された複数のディスプレイ装置２０１−１〜２０１−４に送信する。
【００２４】
すると、複数のディスプレイ装置２０１−１〜２０１−４は、有線通信または無線通信により送信された値、すなわち、装置識別コードをモニタリングしていて、自分の装置識別コードと同じ装置識別コードが認識されたとき、該当ディスプレイ装置のみを動作させ、残りのディスプレイ装置はデフォルト処理する。
【００２５】
また、認識後の該当ディスプレイ装置の具体的な動作は、前記ディスプレイ統合制御部から送信された共用制御指令に応じて行われる。
【００２６】
以上述べたように、本発明は、ユーザのキー操作により入力された特定のキー信号に対応する装置識別コードで何れか一つの動作させたいディスプレイ装置を選択・指定し、ユーザにより入力されたキー信号に対応する共用制御指令で前記選択・指定されたディスプレイ装置の特定の動作（または、機能）を制御することによって、単一の入力装置を用いて複数のディスプレイ装置を別々に且つ統合的に制御することができる。
【００２７】
図３は、本発明に係るディスプレイ統合入力装置の実際の例示図である。図３に示すように、ユーザは、一つの統合入力装置のボタンを用いてそれぞれのディスプレイ装置を選択してもよく、選択スイッチを用いてそれぞれのディスプレイ装置を選択してもよい。このとき、選択ボタンと選択スイッチとは、それぞれのディスプレイ装置と無線または有線で接続されている必要がある。
【００２８】
図４Ａ及び図４Ｂは、本発明に係る複数のディスプレイ統合制御システムの他の例示図である。本発明は、図４Ａに示すように、一つの入力装置が選択スイッチの入力信号を受けて通信により選択されたディスプレイ装置を制御してもよく、図４Ｂに示すように、車両電子制御ユニット（ＶＥＣＵ）が選択スイッチの入力信号を受けてそれぞれのディスプレイ装置に通信により現在選択されたものが何番（例えば、１番）であるかを知らせる情報を送信して、入力装置の信号をその番号に該当するディスプレイ装置のみが認識して動作するように制御してもよい。
【００２９】
本発明は、複数のディスプレイ統合制御システム及びディスプレイ統合入力装置に使用可能であり、さらに詳しくは、ユーザのキー操作により入力された特定のキー信号に対応する装置識別コードで何れか一つの動作させたいディスプレイ装置を選択・指定し、ユーザにより入力されたキー信号に対応する共用制御指令で前記選択・指定されたディスプレイ装置の特定の動作（または、機能）を制御することから、単一の入力装置を用いて複数のディスプレイ装置を統合的に制御することができる複数のディスプレイ統合制御システム及びディスプレイ統合入力装置に使用可能である。
【符号の説明】
【００３０】
１００                  ディスプレイ統合入力装置
２０１−１〜２０１−４  ディスプレイ装置
１０１                  キー入力部
１０２                  メモリ
１０３                  装置識別制御部
１０４                  装置動作制御部
１０５                  通信モジュール
【図１】
2014501474.tif 000003
【図２】
2014501474.tif 000004
【図３】
2014501474.tif 000005
【図４Ａ】
2014501474.tif 000006
【図４Ｂ】
2014501474.tif 000007
【国際調査報告】
2014501474.tif 000008
2014501474.tif 000009
2014501474.tif 000010
2014501474.tif 000011